(57)【要約】【課題】筆記時における疲労軽減効果及び把持感の向上に加え、継続した使用においても筆記時の滑り止め効果を持続させることができる筆記具を提供する。【解決手段】軸筒と、前記軸筒の把持部分を覆う軟質材料層と、前記軟質材料層の外層を覆い平面上に複数の間隙を有する有間隙層とが設けられた筆記具において、前記軟質材料層は、前記有間隙層への加圧により間隙から該軟質材料層の一部が押し出される程度の硬度で形成された。【選択図】図３
2016064616.tif 000002
【特許請求の範囲】
【請求項１】
軸筒と、
前記軸筒の把持部分を覆う軟質材料層と、
前記軟質材料層の外層を覆い平面上に複数の間隙を有する有間隙層とが設けられた筆記具において、
前記軟質材料層は、前記有間隙層への加圧により前記間隙から該軟質材料層の一部が押し出される程度の硬度で形成されたことを特徴とする筆記具。
【請求項２】
前記有間隙層は、メッシュ層であることを特徴とする請求項１に記載の筆記具。
【請求項３】
前記メッシュ層は、網の目が０．１mm以上であることを特徴とする請求項２に記載の筆記具。
【請求項４】
前記軟質材料層は、ゲル層であることを特徴とする請求項１、２又は３に記載の筆記具。
【請求項５】
前記軟質材料層は、ＪＩＳ  Ｋ６２５３に規定されるタイプＡデュロメータで硬度が８０°以下であることを特徴とする請求項１、２、３又は４に記載の筆記具。
【発明の詳細な説明】
【技術分野】
【０００１】
本発明は、筆記具の把持部分に取り付けられるグリップに関する。
【背景技術】
【０００２】
筆記具の分野においては、従来からシリコンゴムやエラストマー等の軟質材料からグリップを形成することで、筆記時の指の滑りを防止させるといった技術が多々用いられている。
さらに、下記の特許文献１によれば、軟質材料を用いると把持圧が分散されることによる疲労軽減効果とともに、筆記時における把持感が向上するとされている。
【先行技術文献】
【特許文献】
【０００３】
【特許文献１】特開２００４−２９１６１２号公報
【発明の概要】
【発明が解決しようとする課題】
【０００４】
たしかに、上記特許文献１の技術によれば、筆記時の滑り防止をなし得るが、その効果が持続するとは限らない。
なぜなら、筆記時の把持圧により軟質材料を変形させて指先と軟質材料との接触面積が増加すると、指先から発汗しやすくなるため、継続して使用していると汗によってグリップが滑りやすくなることが想定されるからである。
そこで、本発明は、筆記時における疲労軽減効果及び把持感の向上に加え、継続した使用においても筆記時の滑り止め効果を持続させることができる筆記具を提供することを課題とする。
【課題を解決するための手段】
【０００５】
上記課題を解決するために、本発明は、以下のような構成を備える。
（第１の発明）
本発明のうち第１の発明は、軸筒10と、この軸筒10の把持部分を覆う軟質材料層25と、前記軟質材料層25の外層を覆い平面上に複数の間隙を有する有間隙層24とが設けられた筆記具において、前記軟質材料層25は、前記有間隙層24への加圧により前記間隙から該軟質材料層25の一部が押し出される程度の硬度で形成されたことを特徴とする。
軸筒10とは、筒形状を呈する筆記具の外部構造であり、軸筒10の先端付近には、筆記具を把持するために円環状に窪んだ把持部分が設けられている。そして、その把持部分の外周面は、適度な弾性を有する軟質材料層25によって覆われている。また、軟質材料層25の外層は、平面上に複数の間隙を有する有間隙層24によって覆われている。
【０００６】
軟質材料層25とは、圧がかかるとその圧力を分散し、抗力を発揮することで衝撃を吸収する層であり、シリコンゴム、熱可塑性エラストマー又はウレタンゲルなどの軟質かつ衝撃吸収力を備えた素材を適宜選択して形成される。なお、軟質材料層25の素材は、上記に列挙した素材に限定されるものではない。
有間隙層24とは、平面上に複数の間隙を有し、軟質材料層25よりも上層に積層された層である。このとき、有間隙層24の素材は特に限定するものではないが、把持圧により撓みが発生する程度の硬度を有する素材から適宜選択して形成されるものとする。
【０００７】
上記の構成によれば、筆記時の把持圧で有間隙層24の間隙から軟質材料層25の一部が押し出されることにより、指先に軟質材料層25が接触することで滑り止め効果、疲労軽減効果や把持感を向上させることができる。
（第２の発明）
本発明のうち第２の発明は、前記した第１の発明の特徴点に加え、有間隙層24は、メッシュ層であることを特徴とする。
第２の発明は、有間隙層24をメッシュ層に特定したものである。メッシュ層を用いることにより、間隙の大きさが均等になるため、加圧によって軟質材料層25の一部が間隙から押し出される量のばらつきが減少する。そのため、把持部分の何れの箇所を加圧しても同様の滑り止め効果、疲労軽減効果及び把持感を得ることができる。
【０００８】
（第３の発明）
本発明のうち第３の発明は、前記した第２の発明の特徴点に加え、メッシュ層は、網の目が０．１mm以上であることを特徴とする。
第３の発明は、メッシュ層の網の目の大きさを特定したものである。網の目の大きさを０．１mm以上としたのは、０．１mm未満であると網の目が細かすぎて、軟質材料層25の一部を把持圧により押し出すことが困難となるためである。なお、メッシュ層の網の目の大きさの上限は、特に限定されるものではないが、本発明の作用効果を達成すべく、３mm以下であることが望ましい。
【０００９】
（第４の発明）
本発明のうち第４の発明は、前記した第２、第３の発明の特徴点に加え、軟質材料層25は、ゲル層であることを特徴とする。
第４の発明は、軟質材料層25をゲル層に特定したものである。ゲル層を用いることにより、柔軟性及び弾力性に富むこととなるため、さらなる把持感の向上に加え、把持圧が分散されることによって疲労軽減効果の向上も期待できる。
（第５の発明）
本発明のうち第５の発明は、前記した第１、第２、第３、第４の発明の特徴点に加え、軟質材料層25は、ＪＩＳ  Ｋ６２５３に規定されるタイプＡデュロメータ硬度が８０°以下であることを特徴とする。
【００１０】
第５の発明は、軟質材料層25の硬度を特定したものである。タイプＡデュロメータ硬度が８０°以下としたのは、タイプＡデュロメータ硬度が８０°よりも大きいと通常の使用による把持圧では、軟質材料層25の一部が有間隙層24から押し出すことが困難となるためである。
【発明の効果】
【００１１】
本発明は、上述のように構成されているので、筆記時の把持圧により有間隙層から軟質材料層の一部が押し出されることで指先と軟質材料層とが接触し、滑り止め効果、疲労軽減効果及び把持感の向上を得ることができる。さらに、把持部分の最上層は、有間隙層の存在により空気流通が発生することで、継続した使用においても指先の発汗を抑制可能となり、汗による筆記時の滑りを防ぐこともできる。
【図面の簡単な説明】
【００１２】
【図１】本発明の実施形態に係る筆記具の側面図である。
【図２】本発明の実施形態に係るグリップ軸の正面図（A）、斜視図（B）及びメッシュ部の正面図（C）である。
【図３】本発明の実施形態に係るグリップ部分の正面図（A）、正面断面図（B）及び拡大断面図（C）である。
【発明を実施するための最良の形態】
【００１３】
以下、図面を参照しつつ、本発明における実施の形態を筆記具1として、内部にシャープペンシルユニット40を有するシャープペンシルを例に説明する。なお、本発明において、筆記具1及びその構成部品についての「前方」とは筆記部を備える側を表し、「後方」とはその反対側を表すものとする。
なお、本発明の実施形態においてはシャープペンシルを例に説明するが、以下の態様に限定されるものではなく、本発明の実施形態に係るグリップを装着可能な筆記具においても適用することができる。さらに、以下の説明においては、本発明の実施形態における特徴点を中心に説明するため、説明の便宜上、シャープペンシルユニット40の構成については省略している。
【００１４】
（全体構造）
本発明の実施形態に係る筆記具1は、図１に示すように、把持部分に複数の間隙が設けられたグリップ部材20を備えたノック式のシャープペンシルである。
本発明の実施形態に係る筆記具1の軸筒10は、前方から順に、中空筒状を呈する先軸19と、先軸19の外周の一部を覆うグリップ軸12と、図示しない軸継手を介して先軸19の後端に連結される中空筒状を呈する図示しない後軸と、止めリング17を介し後軸に外嵌されて後軸の外周を覆う外軸11と、止めリング17の開口部分に装着されるキャップ状のノックカバー18とを備える。また、軸筒10の筒内には、シャープペンシルユニット40が収容される。
【００１５】
（各部材の構造）
図１に示すように、グリップ部材20の前方には、シャープペンシルユニット40の先端部分を収容するアウター30が着脱自在に螺合される。
図３（B）に示すように、グリップ部材20は、その下層を形成して先軸19の外周の一部を覆うゲル部22と、ゲル部22の外層を覆い、平面上に複数の間隙が形成されたメッシュ部21とを備えている。なお、図３（B）においても、説明の便宜上、シャープペンシルユニット40の構成については省略している。
【００１６】
ここで、ゲル部22とは、圧がかかるとその圧力を分散し、抗力を発揮することで衝撃を吸収する層であり、シリコンゴム、熱可塑性エラストマー又はウレタンゲルなどの軟質かつ衝撃吸収力を備えた素材を適宜選択して形成される。なお、ゲル部22の素材は、上記に列挙した素材に限定されるものではない。
メッシュ部21とは、平面上に複数の間隙を有し、ゲル部22よりも上層に積層された層である。このとき、メッシュ部21の素材は特に限定するものではないが、把持圧により撓みが発生する程度の硬度を有する素材から適宜選択して形成されるものとする。なお、メッシュ部21は、図２（C）に示すように、網目状に形成された間隙部23を有している。
【００１７】
グリップ軸12は、図２（A）、（B）に示すように、グリップ部材20が巻き付けられない箇所として指置13を有しており、この指置13はユーザの好みにより、把持位置や把持感を調整するために用いられる。また、指置13は、前方から順に、円環状の指置前部13aと、軸方向に沿った棒形状を呈し、その一端が指置前部13aの外周面と連続している指置基部13bと、指置基部13bの他端と連続している円環状の指置後部13cと、指置後部13cの後部側面に連接し、指置後部13cの外径よりも短い外径を有する円環状の軸飾り受け15とを備えている。
【００１８】
さらに、グリップ軸12には、グリップ軸12にグリップ部材20を接着させる際の接着剤の受け皿として接着面14を有している。この接着面14は、指置後部13cの前部側面に連接し、指置後部13cの外径よりも短い外径を有する円環状の接着面後部14cを備えている。また、接着面後部14cの外周面には、指置基部13bの側面に沿って軸方向に伸びる棒形状の部材であって、その一端が接着面後部14cの外周面と連続している接着面基部14bが存する。さらに、接着面基部14bの他端には、接着面後部14cと同形状に形成された円環状の接着面前部14aが連続している。
【００１９】
このとき、図２（A）に示す指置前部13aの後端から指置後部13cの先端までを結ぶ長さ、すなわち、指置基部13bの長手方向の長さ（以下、長さaとする。）と、図２（C）に示すメッシュ部21の長手方向の長さ（以下、長さbとする。）とは、等しくなるように形成されている。なお、図示しないがメッシュ部21の長手方向の長さとゲル部22の長手方向の長さとは、等しく形成されている。
また、グリップ軸12は、グリップ軸12の後端の直後に存する図示しない軸継手を介して図示しない後軸と連結している。なお、グリップ軸12の後端には後軸との連結時に、軸飾り16が軸飾り受け15の外周を覆うように装着され、軸継手に後軸が螺合されることで先軸19と後軸との間に軸飾り16が挟持されるようになっている。
【００２０】
（グリップ部材20の接着方法）
グリップ部材20の接着方法は、図２に示す、グリップ軸12の接着面前部14a、接着面基部14b及び接着面後部14cに接着剤を塗布して、各々の接着面とゲル部22とを接触させながらゲル部22を巻き付けることで、グリップ軸12とゲル部22とを接着させる。
次に、ゲル部22の上層にメッシュ部21を接着させるが、その方法は特に限定されるものではない。たとえば、ゲル部22の表面に粘着質を有する素材から形成された粘着層を積層し、その粘着層の外周に沿ってメッシュ部21を巻き付けてもよいし、メッシュ部21の裏面に接着剤を塗布して直接ゲル部22に巻き付けていくものであっても良い。
【００２１】
なお、図２（A）に示す長さaと図２（C）に示す長さbとは、等しく形成されているため、グリップ軸12からゲル部22とメッシュ部21とをはみ出させることなく接着可能となっている。
また、上記のようにグリップ部材20が接着されたグリップ軸12は、先軸19に圧入することで筆記具1の把持部分となる。なお、グリップ軸12を先軸19に圧入した際には、ゲル部22の裏面と先軸19の表面とが当接するようになっている。
そして、グリップ部材20に把持圧を加えると、ゲル部22が先軸19に接触し、この接触部分が先軸19に支持されることにより、ゲル部22の一部が間隙部23から押し出される構造となっている。
【００２２】
（筆記具1の特徴）
続いて、本発明の実施形態に係る筆記具1の特徴について説明する。
上述したように、グリップ部材20は、グリップ軸12に接着されることにより（図３（A）参照）、筆記具1の把持部分として用いられることとなる。ここで、メッシュ部21とゲル部22との接触面を拡大すると、図３（C）に示すようになる。
そして、筆記時にグリップ部材20を把持すると、上述したように、把持圧によりゲル部22が先軸19に接触して支持されることにより、メッシュ部21が有する間隙部23からゲル部22が押し出され、グリップ部材20を把持している指先に接触することで筆記時における疲労軽減効果及び良質な把持感を得ることができる。
【００２３】
さらに、グリップ部材20の最上層は、メッシュ部21の存在により空気流通が発生することで、継続した使用においても指先の発汗を抑制可能となり、汗による筆記時の滑りを減少させる滑り止め効果も得ることができる。
なお、上述したように、ゲル部22の表面に粘着層を積層し、その表面にメッシュ部21を巻き付けた場合には、把持圧により間隙部23から押し出されたゲル部22と接触する指先のグリップ力が粘着作用により向上するため、さらなる滑り止め効果を期待することができる。
【符号の説明】
【００２４】
1  筆記具
10  軸筒                                          11  外軸  
12  グリップ軸                                    13  指置
13a  指置前部                                    13b  指置基部
13c  指置後部                                      14  接着面
14a  接着面前部                                    14b  接着面基部  
14c  接着面後部                                    15  軸飾り受け  
16  軸飾り                                        17  止めリング  
18  ノックカバー                                  19  先軸  
20  グリップ部材                                  21  メッシュ部  
22  ゲル部                                        23  間隙部  
24  有間隙層                                      25  軟質材料層
30  アウター
40  シャープペンシルユニット
【図１】
2016064616.tif 000003
【図２】
2016064616.tif 000004
【図３】
2016064616.tif 000005